(57)【要約】【課題】木目調エリアと非木目調エリアとを同一フロアに設ける場合でも、効率的な施工を実施することができる床材の施工構造を提供する。【解決手段】木質系基材１１の表面に木目調の表面材１４を接着した木目調床材１０が設置された木目調エリア１と、木質系基材２１の表面に非木目調の表面材２４を接着した、木目調床材１０と厚さ寸法が略同一とされる非木目調床材２０が設置された非木目調エリア２とが、建物の同一フロアに混在するように配されている。【選択図】図１
2020023836.tif 000002
【特許請求の範囲】
【請求項１】
木質系基材の表面に木目調の表面材を接着した木目調床材が設置された木目調エリアと、木質系基材の表面に非木目調の表面材を接着した、前記木目調床材と厚さ寸法が略同一とされる非木目調床材が設置された非木目調エリアとが、建物の同一フロアに混在するように配されていることを特徴とする床材の施工構造。
【請求項２】
請求項１において、
前記木目調床材の木質系基材と、前記非木目調床材の木質系基材とは、厚さ寸法が略同一とされることを特徴とする床材の施工構造。
【請求項３】
請求項１または２において、
前記木目調の表面材と、前記非木目調の表面材とは、幅寸法、長さ寸法のいずれもが略同一の長方形状とされることを特徴とする床材の施工構造。
【請求項４】
請求項１または２において、
前記木目調の表面材は長方形状とされ、
前記非木目調の表面材の幅寸法は前記木目調の表面材の幅寸法と略同一であり、かつ前記非木目調の表面材の長さ寸法は前記木目調の表面材の長さ寸法を等分に分割した寸法とされることを特徴とする床材の施工構造。
【請求項５】
請求項１〜４のいずれか１項において、
前記木目調床材の木質系基材と、前記非木目調床材の木質系基材とは、前記木目調床材、前記非木目調床材間で相互に実結合できる実構造を備えていることを特徴とする床材の施工構造。
【請求項６】
木質系基材の表面に木目調の表面材を接着した木目調床材と、木質系基材の表面に非木目調の表面材を接着した非木目調床材とを備えており、
前記木目調床材と前記非木目調床材とは、厚さ寸法が略同一とされることを特徴とする床材セット。
【請求項７】
請求項６において、
前記木目調床材の木質系基材と前記非木目調床材の木質系基材とは、厚さ寸法が略同一とされることを特徴とする床材セット。
【請求項８】
請求項６または７において
前記木目調床材の木質系基材と、前記非木目調床材の木質系基材とは、前記木目調床材、前記非木目調床材間で相互に実結合できる実構造を備えていることを特徴とする床材セット。
【発明の詳細な説明】
【技術分野】
【０００１】
本発明は、床材の施工構造および床材セットに関する。
【背景技術】
【０００２】
従来には、リビングのフローリングなどに使用される木目調床材のほかに、木目調以外の模様である非木目調の床材も種々の目的に用いられることが提案されている（例えば、特許文献１参照）。この種の床材としては、例えば正方形状のビニルタイルや布地タイルなど種々のタイル床材があり、これらは大工が施工することはなく、タイル床材専用の内装業者が施工することが通例となっている。
【先行技術文献】
【特許文献】
【０００３】
【特許文献１】特開平７−２２９２７１号公報
【発明の概要】
【発明が解決しようとする課題】
【０００４】
ところで、一般住戸などの建物の同一フロアにおいて、木目調床材を設置したリビングなどの木目調エリアに隣接させて、非木目調のタイル床材などを設置した非木目調エリアを設けることがある。例えば、リビングにダイニングを隣接させる場合、ダイニングを、水濡れしても支障のないビニルタイルなどの非木目調のタイル床材が設置された非木目調エリアとすることがある。
【０００５】
このような２種のエリアが同一フロアに混在する場合には、両床材の施工業者が異なるため、大工による木目調エリアの施工と、その後の内装専用の施工業者による非木目調エリアの施工との２つの作業が別々のタイミングで発生する。また、木目調床材とタイル床材とではそもそも厚さ寸法が異なるため、木目調エリアの施工後に実施される非木目調エリアの施工には、木目調エリア面と高さを合わせるために調整材の捨て貼り作業が必要であり、手間がかかっていた。このように、２種のエリアが混在する場合には、その施工に多くの時間を要し、効率的な作業ができていなかった。
【０００６】
本発明は、このような事情を考慮して提案されたもので、その目的は、木目調エリアと非木目調エリアとを同一フロアに設ける場合でも、効率的な施工を実施することができる床材の施工構造および床材セットを提供することにある。
【課題を解決するための手段】
【０００７】
上記目的を達成するために、本発明の床材設置構造は、木質系基材の表面に木目調の表面材を接着した木目調床材が設置された木目調エリアと、木質系基材の表面に非木目調の表面材を接着した、前記木目調床材と厚さ寸法が略同一とされる非木目調床材が設置された非木目調エリアとが、建物の同一フロアに混在するように配されていることを特徴とする。
【０００８】
また、本発明の床材セットは、木質系基材の表面に木目調の表面材を接着した木目調床材と、木質系基材の表面に非木目調の表面材を接着した非木目調床材とを備えており、前記木目調床材と前記非木目調床材とは、厚さ寸法が略同一とされることを特徴とする。
【発明の効果】
【０００９】
本発明の床材設置構造は上述した構成とされているため、木目調床材と非木目調床材とを区別なく所望の位置に、同一施工業者が連続的に、同一施工様式で施工することができる。
【００１０】
本発明の床材セットは上述した構成とされているため、木目調床材と非木目調床材とを区別なく所望の位置に、同一施工業者が連続的に、同一施工様式で施工することができる。
【図面の簡単な説明】
【００１１】
【図１】本発明の一実施形態に係る床材の施工構造の説明図である。（ａ）は木目調床材の平面図、（ｂ）は（ａ）のＡ−Ａ線矢視一部省略拡大断面図、（ｃ）は非木目調床材の平面図、（ｄ）はＢ−Ｂ線矢視一部省略拡大断面図である。
【図２】図１に示した実施形態の一例に関する床材の施工構造を示す部分平面図である。
【図３】本発明の他の実施形態に係る床材の施工構造の説明図である。（ａ）は木目調床材の平面図、（ｂ）は（ａ）のＣ−Ｃ線矢視一部省略拡大断面図、（ｃ）は非木目調床材の平面図、（ｄ）はＤ−Ｄ線矢視一部省略拡大断面図である。
【図４】図１に示した実施形態の一例に関する床材の施工構造を示す部分平面図である。
【図５】上記２実施形態に係る床材設置構造に関する実結合の例を示す部分縦断面図である。
【発明を実施するための形態】
【００１２】
以下に、本発明の実施の形態について、添付図面をもとに説明する。まず、以下の２実施形態の基本構成および共通事項について説明する。
【００１３】
床材設置構造は、木目調エリア１と非木目調エリア２とが建物の同一フロアに混在するように配されたものとされる。木目調エリア１は、木質系基材１１の表面に木目調の表面材１４を接着した木目調床材１０が設置されたエリアである。非木目調エリア２は、木質系基材２１の表面に非木目調の表面材２４（一例として、東リ株式会社製コンポジションタイル）を接着した、木目調床材１０と厚さ寸法が略同一とされる非木目調床材２０が設置されたエリアである。
【００１４】
これら２種の床材は、それらが組み合わされた床材セットとされる。すなわち、床材セットは、木質系基材１１の表面に木目調の表面材１４を接着した木目調床材１０を備えている。床材セットはさらに、木質系基材２１の表面に非木目調の表面材２４を接着した非木目調床材２０を備えている。木目調床材１０と非木目調床材２０とは厚さ寸法が略同一とされる。
【００１５】
ここで、木質系基材１１としては例えば合板が採用され得る。また、例えばＬＶＬ（単板積層材）でもよく、パーティクルボード等の木質ボード、ＭＤＦ（中密度繊維板）やＨＤＦ（高密度繊維板）等の木質繊維板などの木質系ボードから形成されたものとしてもよい。
【００１６】
また、木目調の表面材１４とは、文字どおり木目模様を有した突板、化粧シートなどの化粧材１４ａを含む表面材料とされる。以下の実施形態では、木質系基材１１の表面にはＭＤＦ１４ｂが配され、さらにその上に突き板などの化粧材１４ａが配されている。したがって、以下の実施形態における木目調の表面材１４は、ＭＤＦ１４ｂと化粧材１４ａの組み合わせ材料とされ、つまり木質系基材１１よりも表面側に配された材料とされる。
【００１７】
一方、非木目調の表面材２４は、タイル調のビニル材や布地材などの材料とされるが、これには限られず、２層以上の多層構造であってもよい。この表面材２４の表面模様としては種々のものがあり、単色で構成したものや木目以外の模様を配したものなどが含まれる。
【００１８】
なお、図１〜図４における平面図においては便宜上、木目調を無地（白色）と表し、非木目調をクロスハッチング模様で表した。また、以下に説明する実施形態では、図１、図３に示すように、木目調の表面材１４をＭＤＦ１４ｂ、化粧材１４ａの２層として図示し、非木目調の表面材２４を１層（合成樹脂層）として図示した。
【００１９】
上述したように、木目調床材１０および非木目調床材２０は、相互に厚さが略同一とされるが、使用する木質系基材１１、２１についても厚さを略同一としてもよい。以下の実施形態では、木目調床材１０、非木目調床材２０間で木目調の表面材１４と、非木目調の表面材２４とが略同じ厚みとされている。
【００２０】
また、以下の実施形態ではさらに、実構造についても、木目調床材１０、非木目調床材２０間で同一の構造とされる。つまり、木目調床材１０の木質系基材１１と、非木目調床材２０の木質系基材２１とは、木目調床材１０、非木目調床材２０間で相互に実結合できる同じ実構造を備えている。
【００２１】
ついで、各実施形態に係る床材設置構造について順次説明する。まず、図１、図２に例示した実施形態について説明する。
【００２２】
この床材設置構造は、木目調床材１０と非木目調床材２０とが相互に略同一形状、略同一寸法とされる床材セットを用いるものである。具体的には、図１（ａ）（ｃ）に示すように、平面視外形は略同一とされ、図１（ｂ）（ｄ）に示すように厚さ寸法も略同一とされる。つまり、両表面材１４、２４は幅寸法、長さ寸法のいずれもが略同一の長方形状とされる。また、木質系基材１１、２１の端部に設けられた実構造も上述したように同一である。
【００２３】
これらの床材の木質系基材１１、２１は共通の、つまり入れ替えても使えるような木質系基材１１、２１とされ、その木質系基材１１、２１の両方向の両端部には実が形成されている。一方の実は雄実１２、２２とされ、雄実用の突条部１２ａ、２２ａが厚さ方向の中央に形成されている。また、突条部１２ａ、２２ａの上方には釘打ち凹部１２ｃ、１２ｃを介して突条部１２ａ、２２ａよりも突出量の小さい雄実上突出部１２ｂ、２２ｂが形成され、下方には雄実下凹部１２ｄ、２２ｄが形成されている。また、他方の実は雌実１３、２３とされ、雌実用の凹条部１３ａ、２３ａと、雌実上突出部１３ｂ、２３ｂと、雌実下突出部１３ｃ、２３ｃとが形成されている。
【００２４】
これらの両実は相互に嵌合し得る形状とされる。すなわち、後述する図５に示したように、両実の各部は、隣接する床材どうしで、突条部１２ａ、２２ａと凹条部１３ａ、２３ａとが相互に嵌合する形状とされている。なお、雌雄の結合は、突条部１２ａ、２２ａと凹条部１３ａ、２３ａとが嵌合した状態で、すくなくとも雄実上突出部１２ｂ、２２ｂと雌実上突出部１３ｂ、２３ｂとが隙間なく突き合わさることが望ましい。
【００２５】
なお、これらの実構造は木質系基材１１、２１に形成されており、図１（ｂ）、（ｄ）に示すように、雄実上突出部１２ｂ、２２ｂ、雌実上突出部１３ｂ、２３ｂの表面側には、それらと突出量を同じにした表面材１４、２４が貼り付けてある。なお、雄実上突出部１２ｂ、２２ｂ、雌実上突出部１３ｂ、２３ｂの表面側の表面材１４、２４の角は面取りされている。
【００２６】
両床材の寸法としては、本例では、幅寸法が３０３ｍｍ、長さ寸法が１８１８ｍｍ、厚さ寸法が１２ｍｍとされる。木質系基材１１、２１の厚さ寸法は９ｍｍとされる。表面材１４、２４については、木目調床材１０の表面材１４を構成するＭＤＦ１４ｂ、化粧材１４ａの合計厚さ寸法は３ｍｍとされ、非木目調床材２０の表面材２４の厚さ寸法は３ｍｍとされる。もちろんこれらの寸法には限らない。
【００２７】
このような２種の床材よりなる床材セットは、それぞれの床材について、１または複数のものを種々組み合わせて建物の同一フロアに配設することができる。例えば、図２に示すように、複数の木目調床材１０を配した木目調エリア１に囲まれるように、例えば３列の非木目調床材２０よりなる非木目調エリア２を配設するようにしてもよい。例えば、布地材を化粧材とした非木目調の表面材２４を表面に配した非木目調床材２０を、フローリングの一部に配して、そこをフローリング内で座布団なしで胡坐、長座位などができるくつろぎエリアとして利用することができる。なお、もちろんこのような利用態様には限られず、種々の組み合わせが適用され得る。一方の床材を１枚のみ用いるものであってもよい。
ついで、他の実施形態について、図３、図４を参照しながら説明する。
【００２８】
本実施形態では、木目調床材１０として、図３（ａ）に示すように、表面材１４（化粧材１４ａ）として集成材スライス単板を用いたものが示してある。木目調床材１０の表面には、縦横に目地１４ｃが形成されている。なお、この木目調床材１０の寸法は図１（ａ）のものと同様とされる。また、木質系基材１１としても図１（ａ）のものと同様とされる。よって、実構造については説明を省略する。
【００２９】
また、非木目調床材２０としては、図１（ｃ）のものとは平面視外形、寸法が異なるものが使用される。図３（ｃ）に示すように、非木目調の表面材２４の幅寸法は木目調の表面材１４の幅寸法と略同一であり、かつ非木目調の表面材２４の長さ寸法は木目調の表面材１４の長さ寸法を等分に分割した寸法とされる。本例では、非木目調の表面材２４の長さ寸法は、木目調の表面材１４の長さ寸法の１／６の寸法とされる。つまり本例では、非木目調床材２０の平面形状は略正方形状とされる。
【００３０】
この非木目調床材２０の木質系基材２１にも、実構造については、木目調床材１０の木質系基材１１と同じ構造のものが形成してある。
【００３１】
このような２種の床材よりなる床材セットは、それぞれの床材について、１または複数のものを種々組み合わせて建物の同一フロアに配設することができる。例えば、図４に示すように、リビングに複数の木目調床材１０を配設した木目調エリア１を形成し、リビングに隣接するダイニングに例えばビニル材を表面材２４とした非木目調床材２０を配設した非木目調エリア２を形成することができる。
【００３２】
以上に示した２つの実施形態では、木目調床材１０と非木目調床材２０とは、厚さ寸法が略同一であるため、後で施工するエリアにおいて先に施工したエリアとの厚さ調整のために捨て貼りする必要がない。ようするに、いずれのエリアにも、下地５（図５参照）上に区別なく配設することができる。そのため、施工方式を共通化でき、それにより１つの施工業者（一例として大工）が、両エリア間でタイミングをずらすことなく連続的に施工することができ、工期を短縮化することができる。
【００３３】
また、図１、図２の実施形態のものは両床材の寸法が略同一であるため、表面のみを確認しながら配設すればよく、簡易な施工を実現することができる。一方、図３、図４の実施形態のものは、非木目調床材２０を小さくすることで、細かなエリアへの配設が可能となる。また、図４の配設例の場合、ダイニングのエリアにおいて一部を別柄、別色の非木目調床材２０に代えることで、おしゃれなダイニング床を形成することもできる。
【００３４】
ついで、図５を参照しながら、床材間の実結合について説明する。なお、実結合については、図１の実施形態も、図３の実施形態も同様とされる。
【００３５】
以上のような床材セットを用いた場合、床材間の実結合としては図５（ａ）から（ｄ）に示した４態様がある。図５（ａ）は木目調床材１０、木目調床材１０間の結合に対応したもの、図５（ｂ）は木目調床材１０、非木目調床材２０間の結合に対応したものである。また、図５（ｃ）は非木目調床材２０、木目調床材１０間の結合に対応したもの、図５（ｄ）は非木目調床材２０、非木目調床材２０間の結合に対応したものである。
【００３６】
これらの実結合は、図５（ａ）〜（ｄ）の４図に示すように、いずれも同様の結合態様とされる。すなわち、一方の床材（図中、左側のもの）を下地５に載置し、その床材の雄実１２、２２側の釘打ち凹部１２ｃ、２２ｃより斜めに釘７を打って下地５に固定し、その雄実１２、２２に対し、雌実１３、２３で実結合するように他方の床材を設置する結合態様とされる。
【００３７】
なお、床材は接着剤を用いて下地５上に固定してもよい。また、上述したように、雄実上突出部１２ｂ、２２ｂ、雌実上突出部１３ｂ、２３ｂ間を隙間なく突き合わせることが望ましい。裏面などにおいて接着剤を用いる場合に、余剰の接着剤を、両床材の結合による隙間のない突き合わせ部によりできた釘打ち空間９に溜めることができる。この釘打ち空間９は上方が覆われているため、溜まった接着剤が表面側に漏れ出るおそれはない。
【００３８】
以上の２種の実施形態ではいずれも、２種の床材の木質系基材１１、２１の厚さ寸法が略同一であるため、木質系基材１１、２１を生産するにあたり、原材料を共通化することができる。特に、図１、図２の実施形態の場合、２種の床材の平面寸法が同一であるため、木質系基材１１、２１を共通のものとすることができる。なお、もちろん両床材の木質系基材１１、２１は略同一厚さでなくてもよい。捨て貼り手間を省くことを目的とするならば、両床材の表面材１４、２４を含む全体厚さ寸法が略同一であればよい。
【００３９】
また以上には、雌雄の実構造を有した例を示したが、例えば相じゃくり構造のような他の結合構造を有した床材であってもよい。また、結合構造を有しないものであってもよい。
【００４０】
また、図３、図４の実施形態では、非木目調の表面材２４の長さ寸法は木目調の表面材１４の長さ寸法を等分に分割した寸法としたが、等分化したものではなく、たんに寸法的に差異があるだけの関係であってもよい。例えば、幅寸法が一致し、長さ寸法が、例えば２対３のような関係のものであってもよい。
【符号の説明】
【００４１】
１          木目調エリア
２          非木目調エリア
５          下地
７          釘
９          釘打ち空間
１０        木目調床材
１１        （木目調床材の）木質系基材
１２        雄実
１２ａ      突条部
１２ｂ      雄実上突出部
１２ｃ      釘打ち凹部
１２ｄ      雄実下凹部
１３        雌実
１３ａ      凹条部
１３ｂ      雌実上突出部
１３ｃ      雌実下突出部
１４        （木目調の）表面材
１４ａ      化粧材
１４ｂ      ＭＤＦ
１４ｃ      目地
２０        非木目調床材
２１        （非木目調床材の）木質系基材
２２        雄実
２２ａ      突条部
２２ｂ      雄実上突出部
２２ｃ      釘打ち凹部
２２ｄ      雄実下凹部
２３        雌実
２３ａ      凹条部
２３ｂ      雌実上突出部
２３ｃ      雌実下突出部
２４        （非木目調の）表面材
【図１】
2020023836.tif 000003
【図２】
2020023836.tif 000004
【図３】
2020023836.tif 000005
【図４】
2020023836.tif 000006
【図５】
2020023836.tif 000007